(57)【要約】      （修正有）【課題】  配線接続時において、各挿入孔に電源線とアース線を間違えずに接続することができる電線接続用コネクタ及びそれを用いたフロアー用ヒーターパネルを提供すること。【解決手段】  先端部に電源線用端子Ｔａを装着した複数の電源線Ｋａ，Ｋａ…を挿入する複数の電源線用挿入孔と、同じく先端部にアース線用端子Ｔｅを装着したアース線Ｋｅを挿入するアース線用挿入孔を備えた電線接続用コネクタであって、前記電源線用端子Ｔａとアース線用端子Ｔｅが、形状若しくは大きさまたはその両方を変化させてあり、前記電源線用挿入孔とアース線用挿入孔も、形状若しくは大きさまたはその両方を変化させてあり、電源線用端子Ｔａは電源線用挿入孔にのみ挿入可能とし、アース線用端子Ｔｅはアース線用挿入孔にのみ挿入可能とした電線接続用コネクタ及びそれを用いたフロアー用ヒーターパネルとしたこと。【選択図】        図４
2007012529.tif 000002
【特許請求の範囲】
【請求項１】
先端部に電源線用端子(Ta)を装着した複数の電源線(Ka),(Ka)…を挿入する複数の電源線用挿入孔(10a),(10a)…と、同じく先端部にアース線用端子(Te)を装着したアース線(Ke)を挿入するアース線用挿入孔(10e)を備えた電線接続用コネクタであって、
前記電源線用端子(Ta)とアース線用端子(Te)が、形状若しくは大きさまたはその両方を変化させてあり、
前記電源線用挿入孔(10a)とアース線用挿入孔(10e)も、形状若しくは大きさまたはその両方を変化させてあり、
電源線用端子(Ta)は電源線用挿入孔(10a)にのみ挿入可能とし、アース線用端子(Te)はアース線用挿入孔(10e)にのみ挿入可能としてある電線接続用コネクタ。
【請求項２】
前記アース線(Ke)は、先端部に取り付けられたアース線用端子(Te)のさらに外周に端子カバー(C)が取り付けられ、
前記端子カバー(C)の側面から挿入方向に突出する係合体(72)が形成され、
アース線用挿入孔(10e)の隣には、別の凹入部(15)が形成され、
該凹入部(15)は、アース線(Ke)をアース線用挿入孔(10e)から挿入したときに、係合体(72)と係合する突出体(16)が凹入内部に形成されている請求項１に記載の電線接続用コネクタ。
【請求項３】
前記突出体(16)は、凹入奥側に向かって大きくなる傾斜状に形成されている請求項２に記載の電線接続用コネクタ。
【請求項４】
請求項１乃至３の何れかに記載の電線接続用コネクタを用いたフロアー用ヒーターパネル。
【発明の詳細な説明】
【技術分野】
【０００１】
本発明は、主として、家屋やビル等の建築物において、フロアーに敷設されるヒーターパネルの中に配置されて、ヒーターパネルに配線接続する電線同士の接続若しくは分岐を行うのに適した電線接続用コネクタ及びそれを用いたフロアー用ヒーターパネルに関するものである。
【背景技術】
【０００２】
このような電線接続用コネクタとしては、特開平９−５５２３９号公報に見られるように、厚みの小さい直方体状のケース体の内部に、２本の電源線とアース線の計３本の電線が挿入され、接続されるための３つの収容空間が形成され、この内部の３つの収容空間に通じる挿入孔が、１つの収容空間につきケース体の一側面からとその対称の面からの２箇所形成されている。内部の３つの収容空間にはそれぞれ、電線を電気的に接続するためのチャンネル帯板と、該チャンネル帯板にケース体の一側面からとその対称の面から挿入された電線をそれぞれ固定するための２体のスプリング板が取り付けられている。
【０００３】
使用にあたっては、ヒーターパネル間の配線を結線したり、外部からの引き込み電線とヒーターパネルの配線を結線したりするために、ケース体の一側面側において、２本の電源線とアース線の３本の電線をそれぞれの挿入孔に挿入し、その対称の面側においても同様に、３本の各電線を対応する挿入孔に挿入して両者を接続する。そして、このような結線状態で、ヒーターパネルのパネル開口部にコネクタを設置した後、裏返しにしてヒーターパネルを敷き詰める。
【０００４】
ところで、この電線接続用コネクタは、ケース体の内部においてスプリング板を横向きに寝かして収容しており、電線はスプリング板の位置に対して横に挿入されて、通電体に対して横方向に押圧固定される形態となるので、直方体状のケース体の垂直方向の厚みを小さくするのに寄与している。これにより、この電線接続用コネクタは、ヒーターパネルの中の狭隘な場所であっても取り付けることが可能となっている。
【特許文献１】特開平９−５５２３９号公報
【発明の開示】
【発明が解決しようとする課題】
【０００５】
しかしながら、２本の電源線とアース線の各電線を挿入するためのケース体の一側面側の３つの挿入孔とその対称の面側の３つの挿入孔、並びに、ケース体内部の３つの収容空間はそれぞれ等価に形成されているので、各電線はどの挿入孔にも自由に挿入することができ、このために、ケース体の一側面側の挿入孔に挿入する電線とその対称の面側の対応する挿入孔に挿入する電線の種類を間違えて接続して通電不良が発生することがあった。この間違えて接続された状態は、施工工事の最終段階になって通電を行うときに初めて判明するので、コネクタに電線を正しく接続し直すためには敷き詰めたヒーターパネルを取り外す必要があり、そのために、コスト、労力が嵩み、作業効率が非常に悪くなってしまうという問題があった。
【０００６】
そこで、本発明は、配線接続時において、各挿入孔に電源線とアース線を間違えずに接続することができる電線接続用コネクタ及びそれを用いたフロアー用ヒーターパネルを提供することを目的とする。
【課題を解決するための手段】
【０００７】
この課題を解決するために講じた本発明の構成を、実施例を示す図面に使用した符号を用いて説明すると、本発明は、先端部に電源線用端子Ｔａを装着した複数の電源線Ｋａ，Ｋａ…を挿入する複数の電源線用挿入孔１０ａ，１０ａ…と、同じく先端部にアース線用端子Ｔｅを装着したアース線Ｋｅを挿入するアース線用挿入孔１０ｅを備えた電線接続用コネクタであって、前記電源線用端子Ｔａとアース線用端子Ｔｅが、形状若しくは大きさまたはその両方を変化させてあり、前記電源線用挿入孔１０ａとアース線用挿入孔１０ｅも、形状若しくは大きさまたはその両方を変化させてあり、電源線用端子Ｔａは電源線用挿入孔１０ａにのみ挿入可能とし、アース線用端子Ｔｅはアース線用挿入孔１０ｅにのみ挿入可能としてある構成とした電線接続用コネクタであり、また、このような構成とした電線接続用コネクタを用いたフロアー用ヒーターパネルである。
【発明の効果】
【０００８】
本発明の電線接続用コネクタ、または、それを用いたフロアー用ヒーターパネルによると、電源線用挿入孔とアース線用挿入孔が、形状若しくは大きさまたはその両方を変化させてある構成としたことから、従来は等価に形成されていた電源線用挿入孔とアース線用挿入孔を形状若しくは大きさまたはその両方で区別することができるとともに、電源線用端子とアース線用端子も形状若しくは大きさまたはその両方を変化させて、電源線用端子は電源線用挿入孔にのみ挿入可能であり、アース線用端子はアース線用挿入孔にのみ挿入可能である構成としたことから、電源線とアース線の誤挿入を確実に防止することができる。これにより、電源線とアース線のそれぞれを確実に正しい箇所に接続して施工工事を進めることができ、従来のように、施工工事の最終段階で、配線の間違いに気づいて工事をやり直す虞がなく、安心して施工工事を進めることができるとともに、作業効率を大幅にアップさせることができる。
【発明を実施するための最良の形態】
【０００９】
本発明の電線接続用コネクタ、または、それを用いたフロアー用ヒーターパネルを実施するにあたって、電源線用端子Ｔａは、通電用先端部６１ａと、電源線Ｋａが圧着される圧着部６２ａから構成され、同様にアース線用端子Ｔｅも、通電用先端部６１ｅと、アース線Ｋｅが圧着される圧着部６２ｅから構成され、電源線用挿入孔１０ａは、開口端側から、電源線用端子Ｔａの圧着部６２ａを収容する圧着部収容部１１ａと、電源線用端子Ｔａの先端部６１ａを挿通させる端子挿通部１２ａが連続して形成され、同様にアース線用挿入孔１０ｅも、開口端側から、アース線用端子Ｔｅの圧着部６２ｅを収容する圧着部収容部１１ｅと、アース線用端子Ｔｅの先端部６１ｅを挿通させる端子挿通部１２ｅが連続して形成されている構成で実施することができる。このとき、例えば、電源線用端子Ｔａの圧着部６２ａは、圧着部収容部１１ａには収容できるが、圧着部収容部１１ｅには収容できない形状若しくは大きさとしてあり、アース線用端子Ｔｅの先端部６１ｅは、端子挿通部１２ｅには挿通できるが、端子挿通部１２ａには挿通できない形状若しくは大きさとしてある構成で実施したりして、電源線用端子Ｔａの先端部６１ａ及び圧着部６２ａ，アース線用端子Ｔｅの先端部６１ｅ及び圧着部６２ｅを利用することにより、電源線Ｋａとアース線Ｋｅの誤挿入を防止することができる。
【００１０】
また、アース線Ｋｅは、先端部に取り付けられたアース線用端子Ｔｅのさらに外周に端子カバーＣが取り付けられ、前記端子カバーＣの側面から挿入方向に突出する係合体７２が形成され、アース線用挿入孔１０ｅの隣には、別の凹入部１５が形成され、該凹入部１５は、アース線Ｋｅをアース線用挿入孔１０ｅから挿入したときに、係合体７２と係合する突出体１６が凹入内部に形成されている構成とすると、コネクタへの挿入接続時に、電源線Ｋａとアース線Ｋｅを一目で容易に区別することができるとともに、端子カバーＣの係合体７２と凹入部１５内の突出体１６が係合する位置関係を利用して、アース線Ｋｅを所定のアース線用挿入孔１０ｅに正しく接続でき、電源線Ｋａとアース線Ｋｅの誤挿入を防止することに寄与することができる。その他、アース線Ｋｅに取り付けられたアース線用端子Ｔｅを保護して、安全に取り扱うことができるとともに、係合体７２と突出体１６を係合させることにより、コネクタに対して端子カバーＣを固定して、端子カバーＣ及び内部のアース線Ｋｅの抜け方向への移動を防止することができる。
【００１１】
この際、突出体１６は、凹入奥側に向かって大きくなる傾斜状に形成されている構成で実施すると、端子カバーＣを装着したアース線Ｋｅをアース線用挿入孔１０ｅに挿入していくときに、端子カバーＣの係合体７２は、突出体１６の傾斜面に沿って徐々に変位しながら最終的に突出体１６と係合するので、端子カバーＣの係合体７２が折れることなく、端子カバーＣをアース線用挿入孔１０ｅにスムーズに嵌め込むことができる。
【００１２】
電源線Ｋａあるいはアース線Ｋｅの挿入方向に傾斜して電源線Ｋａあるいはアース線Ｋｅに対して線接触する端縁部分を備えた電線押圧爪部４２と、電源線Ｋａあるいはアース線Ｋｅに対して面接触する平面部分を備えた電線押圧爪部４３を有する弾性体４をコネクタ内部に有する構成とすると、電線押圧爪部４３の平面部分は、電源線Ｋａあるいはアース線Ｋｅを面接触して押圧固定することができ、電線押圧爪部４２の端縁部分は、挿入接続された電源線Ｋａあるいはアース線Ｋｅに引き抜き方向への力が作用した場合に、電源線Ｋａあるいはアース線Ｋｅにくい込んで、電源線Ｋａあるいはアース線Ｋｅの抜け方向への移動を阻止することができる。
【実施例】
【００１３】
以下、本発明の実施例を図示例と共に説明する。図１乃至図９は本発明の一実施例の電線接続用コネクタを示し、図１は斜視図、図２は断面図、図３は分解断面図、図４はコネクタに電線を接続した状態の断面図、図５は弾性体４（スプリング板４１）の斜視図、図６は端子カバーの斜視図、図７はコネクタの側面の寸法図、図８（ａ），（ｂ）は電源線の寸法図、図９（ａ），（ｂ）はアース線の寸法図である。また、図１０及び図１１は、本発明の一実施例であるフロアー用ヒーターパネルＰを示し、図１０はヒーターパネルＰと外部ケーブルとの接続状態を示す図、図１１はヒーターパネルＰ同士の配線の接続状態を示す図である。
【００１４】
該実施例の電線接続用コネクタは、ヒーターパネルの中に配置され、ヒーターパネルに配線接続する電線同士を接続するため、より詳しくは、本実施例においては、２本の電源線Ｋａ，Ｋａと１本のアース線Ｋｅをそれぞれ接続するために使用される。図３に示すように、コネクタ本体１と、コネクタ本体１に嵌め合わされるカバー体２と、コネクタ本体１の内部に収容され、電源線Ｋａ同士あるいはアース線Ｋｅ同士を電気的に接続することができる通電体３と、コネクタ本体１内に挿入された電源線Ｋａあるいはアース線Ｋｅを通電体３に対して弾性的に固定するための弾性体４（スプリング板４１）と、防水シールＳとから構成されている。
【００１５】
図１に示すように、コネクタ本体１は、厚みが薄く形成された略直方体状のケースであって、絶縁性の高い合成樹脂材で成形されている。また、内部の接続状況がわかるように無色透明に形成されている。図３のコネクタ本体１の左側において、上側２つは、電源線Ｋａを挿入する電源線用挿入孔１０ａ，１０ａであって、一番下側は、アース線Ｋｅを挿入するアース線用挿入孔１０ｅである。電源線用挿入孔１０ａは、開口端側に断面視方形状の圧着部収容部１１ａが形成され、その奥側にはこれに連続して、圧着部収容部１１ａよりやや孔サイズ（孔断面積）の小さい断面視円形状となりそこから奥側に向かってテーパー状に径小となった後、さらに奥側に向かって断面視円形状で一定の径で続く端子挿通部１２ａが形成されている。アース線用挿入孔１０ｅは、開口端側に、圧着部収容部１１ａよりも孔サイズ（孔断面積）が小さい断面視方形状の圧着部収容部１１ｅが形成され、その奥側にはこれに連続して、圧着部収容部１１ｅよりやや孔サイズ（孔断面積）の小さい断面視方形状となりそこから奥側に向かってテーパー状に径小となった後、さらに奥側に向かって断面視方形状で一定の径で続く端子挿通部１２ｅが形成されている。
【００１６】
ここで、本実施例のコネクタの電源線用挿入孔１０ａ及びアース線用挿入孔１０ｅの実寸値を示すと、図７に示すように、圧着部収容部１１ａの孔サイズは、縦幅ｍ＝６．６（ｍｍ）、横幅ｎ＝５．２（ｍｍ）、圧着部収容部１１ｅの孔サイズは、縦幅ｐ＝４（ｍｍ）、横幅ｑ＝４（ｍｍ）、端子挿通部１２ａの最小部分の孔サイズは、内径ｒ＝２．２（ｍｍ）、端子挿通部１２ｅの最小部分の孔サイズは、縦幅ｓ＝２．２（ｍｍ）、横幅ｔ＝２．６（ｍｍ）である。
【００１７】
端子挿通部１２ａ，１２ｅのさらにその奥側には、通電体３を収容するために電線挿入方向に延びる直方体状の収容空間１３が、３体それぞれ同じ大きさで形成されている。電源線Ｋａが挿入される一番上の収容空間１３と真ん中の収容空間１３の間には、隔壁１４が、図中、右方向に突出して形成され、真ん中の収容空間１３と一番下のアース線Ｋｅが挿入される収容空間１３の間には、前者よりも幅方向に厚みの大きい隔壁１４が、図中、右方向に突出して形成されている。
【００１８】
また、図３に示す位置関係において、コネクタ本体１のアース線用挿入孔１０ｅの下方隣には凹入部１５が形成され、その上方の開口端から、凹入内奥側に向かって傾斜しながら大きく突出する突出体１６が形成されている。また、図中、右側において、上下部分に側壁１７，１７が右側に突出するように取り付けられ、その先端部を突出方向とは逆の方向で、かつ、内方に、傾斜しながら大きく突出していく係合突起１８が形成されている。この側壁１７，１７に挟まれた空間がカバー体２を嵌め込むための嵌め込みスペース１９となる。
【００１９】
カバー体２は、コネクタ本体１と同様に、絶縁性の高い合成樹脂材で成形され、また、内部の接続状況がわかるように無色透明に形成されている。図３に示すように、コネクタ本体１の嵌め込みスペース１９に嵌め込むことができ、図中、左側の嵌め込み前端側は、コネクタ本体１の、図中、右方向に突出して形成された隔壁１４，１４と噛み合う凹凸構造２１が形成されている。コネクタ本体１の隔壁１４，１４は、幅方向に異なる厚みで形成されているので、カバー体２の凹凸構造２１との噛み合いは１通りに決まり、カバー体２の嵌め込み向きは必然的に決まる。
【００２０】
図中、右側の嵌め込み後端側は、コネクタ本体１の左側と同様に、上側２つが、電源線Ｋａを挿入する電源線用挿入孔１０ａ，１０ａであって、一番下側が、アース線Ｋｅを挿入するアース線用挿入孔１０ｅである。これら電源線用挿入孔１０ａ，１０ａ及びアース線用挿入孔１０ｅは、コネクタ本体１の左側の電源線用挿入孔１０ａ，１０ａ及びアース線用挿入孔１０ｅとそれぞれ同様の形状で、電源線用挿入孔１０ａは、開口端側から圧着部収容部１１ａ、端子挿通部１２ａ、収容空間１３と連続しており、アース線用挿入孔１０ｅは、開口端側から圧着部収容部１１ｅ、端子挿通部１２ｅ、収容空間１３と連続している。凹入部１５は、アース線用挿入孔１０ｅの上方隣に形成され、その下方の開口端から、凹入内奥側に向かって傾斜しながら大きく突出する突出体１６が形成されている。カバー体２をコネクタ本体１に嵌め込んだ状態において、カバー体２の右側に形成された電源線用挿入孔１０ａ，１０ａ及びアース線用挿入孔１０ｅは、後述する収容空間１３に収容した通電体３内の電線挿入位置に対応させて、コネクタ本体１の左側に形成された電源線用挿入孔１０ａ，１０ａ及びアース線用挿入孔１０ｅよりも、やや下方にずれた位置に形成されている。
【００２１】
また、図中、上下部分の側壁には、嵌め込み方向とは逆向きに傾斜状に外方に向かって突出し、コネクタ本体１の側壁１７，１７の係合突起１８，１８と係合する突出部２２，２２が形成されている。側壁１７，１７の係合突起１８，１８とカバー体２の突出部２２，２２はともに傾斜状に形成されていて、カバー体２をコネクタ本体１に嵌め込むときに当接するように形成されており、嵌め込みの抵抗を小さくして、スムーズに嵌め込みができるようになっている。カバー体２をコネクタ本体１に嵌め込むに従って、突出部２２，２２が徐々に側壁１７の係合突起１８を外方に変位させ、突出部２２が側壁１７の係合突起１８を通過後は、外方に変位していた側壁１７の係合突起１８が弾性的に内方に復元して、突出部２２，２２と係合突起１８，１８が係合する。
【００２２】
通電体３は、帯板状の底壁３１と、その長尺の両側縁部から直に立ち上げられた左右の立ち上がり壁３２，３２から構成され、断面形状コの字型に形成されている。素材は、導電性のものであれば任意であるが、本実施例においては、タフピッチ銅にスズメッキを施してある。図２及び図３に示すように、通電体３は、長尺部を左右方向にして、コの字型の開口部を紙面手前側に向くように配置すると、左の端部に近い場所に、底部の一部を２箇所、図中、下の立ち上がり壁３２の方に立ち上げた２体の固定爪３３，３３が形成され、左の端部に近い場所にも同様に、底部の一部を２箇所、図中、上の立ち上がり壁３２の方に立ち上げた２体の固定爪３３，３３が形成されている。この固定爪３３と立ち上がり壁３２の間には、弾性体４の厚み分のスペースがあり、後述するように、弾性体４を挟み込んで固定できるようにしてある。
【００２３】
スプリング板４１は、ステンレス製の帯状の薄板から、図５に示すように、電線挿入奥側の端部を直の状態より緩やかに折り曲げて、その先端部が電線挿入奥側に傾斜するようにして、（傾斜）電線押圧爪部４２を形成してあり、平坦部４４を挟んで、電線挿入手前側を電線挿入奥側に略Ｕターン状に折り返して第１折り返し部４５を形成し、さらに先端部を略Ｕ字型の内部方向に折り返して第２折り返し部４６を形成し、（略Ｕ字型の）電線押圧爪部４３を形成してある。
【００２４】
これらの部材の組み立てにあたっては、図３に示すように、スプリング板４１は、通電体３の左右の取り付け箇所にそれぞれ、（傾斜）電線押圧爪部４２が左右それぞれの電源線用挿入孔１０ａあるいはアース線用挿入孔１０ｅから見て電線挿入奥側となるような向きとして、通電体３の２つの固定爪３３，３３と立ち上がり壁３２の間に平坦部４４を挟み込んで取り付ける。スプリング板４１を取り付けた通電体３をコネクタ本体１の収容空間１３内に、図中右の開口部から入れる。そして、防水シールＳを開口部に装着した後、カバー体２を奥まで嵌め込んで、ケース本体１の隔壁１４，１４とカバー体２の凹凸構造２１の凹部を噛み合わせ、かつ、ケース本体１の側壁１７，１７の係合突起１８とカバー体２の突出部２２を係合させて、カバー体２がケース本体１から抜けないようにして、図１及び図２に示すような組み立て状態となる。
【００２５】
電源線Ｋａ及びアース線Ｋｅはそれぞれ、収縮チューブ５１内に単線の芯５２が挿通されており、その先端部は裸の芯５２を剥き出しの状態にしてある。電源線Ｋａの先端部の芯５２には電源先用端子Ｔａが取り付けられ、アース線Ｋｅの芯５２にはアース線用端子Ｔｅが取り付けられる。電源線用端子Ｔａは、通電用の先端部６１ａと、該先端部６１ａの後端側に、両側から突出して上方に向かって反り上げられている構造を備えている圧着部６２ａとからなり、同様にアース線用端子Ｔｅも、通電用の先端部６１ｅと、該先端部６１ｅの後端側に、両側から突出して上方に向かって反り上げられている構造を備えている圧着部６２ｅとからなる。電源線Ｋａに電源線用端子Ｔａを取り付けるにあたっては、電源線用端子Ｔａの圧着部６２ａに電源線Ｋａの芯５２を添えて所定の工具で圧着部６２ａを押圧圧着させて電源線Ｋａと固着させる。アース線Ｋｅにアース線用端子Ｔｅを取り付ける場合も同様である。電源線用端子Ｔａの先端部６１ａは円柱棒状であり、他方、アース線用端子Ｔｅの先端部６１ｅは平板状であって、先端部６１ａよりも挿入方向に長く形成されている。また、アース線用端子Ｔｅの先端部６１ｅには、後端側の一部が切り込まれて、後端側に向かって傾斜して立ち上がっている立ち上げ部６３が形成されている。
【００２６】
本実施例においては、アース線用端子Ｔｅの先端部６１ｅが長く形成され、圧着部６２ｅは圧着部収納部１１ｅまで届かず、圧着部収納部１１ｅに入らないので、この圧着部６２ｅも含めてアース線用端子Ｔｅのうちアース線用挿入孔１０ｅに入らない部分を保護するために、図４に示すように、アース線用端子Ｔｅには専用の端子カバーＣが取り付けられ、アース線用端子Ｔｅの外周は、その先端部６１ａの挿入端側を除いて端子カバーＣで覆われている。該端子カバーＣの内部側は、後端側から先端側に向かって、収縮チューブ５１とアース線用端子Ｔｅの圧着部６２ｅを覆う大径部分Ｐと、アース線用端子Ｔｅの先端部６１ｅを覆う中径部分Ｑと、先端部６１ｅを覆い、コネクタの圧着部収容部１１ｅに収容される小径部分Ｒとが連続する中空体構造である。大径部分Ｐから中径部分Ｑの境界部分の内側面は傾斜状に形成され、その挿入先端側の終端が内部側に突出して係合段部７１を構成し、該係合段部７１は、アース線用端子Ｔｅを端子カバーＣ内に挿入したときに、前述したアース線用端子Ｔｅの立ち上げ部６３と係合する。
【００２７】
このアース線用端子Ｔｅへの端子カバーＣの装着の作用をより詳しく説明する。アース線用端子Ｔｅを端子カバーＣ内に挿入していくと、アース線用端子Ｔｅの立ち上げ部６３が係合段部７１の傾斜面に当接し、さらにアース線用端子Ｔｅを挿入していくと、係合段部７１の傾斜面によって立ち上げ部６３が挿入方向と反対側に弾性的に押し返され、さらにアース線用端子Ｔｅを挿入して立ち上げ部６３が係合段部７１を通過すると、立ち上げ部６３が元の立ち上げ状態に弾性的に復帰して、立ち上げ部６３と係合段部７１が係合し、端子カバーＣからアース線用端子Ｔｅが抜け方向へ移動するのを防止する。
【００２８】
図６に示すように、端子カバーＣの外側面からは、差し込み方向の先端側に向けて突出した係合体７２が形成され、該係合体７２は、端子カバーＣの外側面から外方向に突出した後、差し込み方向に向けて延びる小幅部が続く２枚の係合板７３とその小幅部の先端を繋ぐ係合部７４から構成されている。後述するように、端子カバーＣを装着したアース線Ｋｅをアース線用挿入孔１０ｅから挿入すると、係合体７２の係合部７４がコネクタ本体１の凹入部１５内の突出体１６と係合して、コネクタ本体１から端子カバーＣが抜け方向へ移動するのが防止される。なお、本実施例では、前述したようにアース線用端子Ｔｅの保護とアース線Ｋｅの抜け移動防止のために、アース線用端子Ｔｅに端子カバーＣが取り付けられているが、言うまでもなく、本発明に必ずしも必須の要素ではなく、アース線用端子Ｔｅの先端部６１ｅの長さを本実施例よりも短くして、アース線用端子Ｔｅの圧着部６２ｅが圧着部収容部１１ｅにきちんと収容されるようにし、端子カバーＣが必要のない構成で実施することもできる。
【００２９】
ここで、本実施例における電源線Ｋａに取り付けられた電源線用端子Ｔａ、並びに、アース線Ｋｅに取り付けられたアース線用端子Ｔｅ及び端子カバーＣの実寸値を示すと、図８（ａ），（ｂ）に示すように、電源線Ｋａに取り付けられた電源線用端子Ｔａの先端部６１ａの直径ｃ＝１．５（ｍｍ）、圧着部６２ａのサイズは、縦幅ａ＝４．４（ｍｍ）、横幅ｂ＝３（ｍｍ）であり、図９（ａ），（ｂ）に示すように、アース線Ｋｅに取り付けられたアース線用端子Ｔｅの平板状の先端部６１ｅの幅ｄ＝２．４（ｍｍ）、端子カバーＣの小径部分Ｒの外部サイズは、縦ｅ＝３．８（ｍｍ）、横ｆ＝３．８（ｍｍ）、端子カバーＣの中径部分Ｑ及び大径部分Ｐの外部サイズは、縦ｇ＝６．８（ｍｍ）、横ｈ＝５．８（ｍｍ）である。
【００３０】
このように、端子カバーＣの小径部分Ｒの外部サイズは、縦ｅ＝３．８（ｍｍ）、横ｆ＝３．８（ｍｍ）であって、孔サイズが縦幅ｐ＝４（ｍｍ）、横幅ｑ＝４（ｍｍ）である圧着部収容部１１ｅの孔よりも小さく形成されている、すなわち、ｅ＜ｐ、ｆ＜ｑであるので、端子カバーＣの小径部分Ｒは当然圧着部収容部１１ｅに挿入できるようになっており、他方、端子カバーＣの中径部分Ｑ及び大径部分Ｐの外部サイズは、縦ｇ＝６．８（ｍｍ）、横ｈ＝５．８（ｍｍ）であって、孔サイズが縦幅ｐ＝４（ｍｍ）、横幅ｑ＝４（ｍｍ）である圧着部収容部１１ｅの孔よりも大さく形成されている、すなわち、ｇ＞ｐ、ｈ＞ｑであるので、端子カバーＣの中径部分Ｑ及び大径部分Ｐに相当する箇所は圧着部収容部１１ｅには入らず、この箇所がコネクタと当接することにより、端子カバーＣの圧着部収容部１１ｅへのこれ以上の挿入が防止される。
【００３１】
また、電源線Ｋａに取り付けられた状態において電源線用端子Ｔａの圧着部６２ａのサイズは、縦幅ａ＝４．４（ｍｍ）、横幅ｂ＝３（ｍｍ）であり、孔サイズが縦幅ｍ＝６．６（ｍｍ）、横幅ｎ＝５．２（ｍｍ）である圧着部収容部１１ａの孔には、ａ＜ｍ、ｂ＜ｎであるので、入るが、孔サイズが縦幅ｐ＝４（ｍｍ）、横幅ｑ＝４（ｍｍ）である圧着部収容部１１ｅの孔には、ａ＞ｐ（かつａ＞ｑ）であるので、入らず、電源線Ｋａを間違えてアース線用挿入孔１０ｅに挿入してしまうことがない。また逆に、アース線Ｋｅに取り付けられたアース線用端子Ｔｅの先端部６１ｅの幅は、ｄ＝２．４（ｍｍ）であって、最小部分の横幅ｔが２．６（ｍｍ）である端子挿通部１２ｅの孔には、ｄ＜ｔであるので、挿通できるが、最小部分の内径ｒが２．２（ｍｍ）である端子挿通部１２ａの孔には、ｄ＞ｒであるので、挿通できず、アース線Ｋｅを間違えて電源線用挿入孔１０ａに挿入してしまうこともない。
【００３２】
このように、電源線用挿入孔１０ａとアース線用挿入孔１０ｅの大きさあるいは形状を変えることにより、電源線用挿入孔１０ａとアース線用挿入孔１０ｅを容易に判別することができるとともに、電源線用端子Ｔａが電源線Ｋａに取り付けられた状態において、電源線用端子Ｔａの圧着部６２ａは、電源線用の圧着部収容部１１ａには入るが、アース線用の圧着部収容部１１ｅには入らないような大きさ、形状で形成され、他方、アース線Ｋｅに取り付けられたアース線用端子Ｔｅの先端部６１ｅは、アース線用の端子挿通部１２ｅには入るが、電源線用の端子挿通部１２ａには入らないような大きさ、形状で形成してあることにより、電源線Ｋａとアース線Ｋｅの誤挿入を防止することができる。
【００３３】
次に、このように構成されたケース本体１及びカバー体２の電源線用挿入孔１０ａ及びアース線用挿入孔１０ｅに対して電源線Ｋａあるいはアース線Ｋｅを挿入したときの電源線Ｋａあるいはアース線Ｋｅと弾性体４（スプリング板４１）との作用について説明する。まず、電源線Ｋａを挿入するにあたっては、電源線Ｋａの先端に取り付けられた電源線用端子Ｔａの先端部６１ａの挿入端が、圧着部収容部１１ａから端子挿通部１２ａを通って電線押圧爪部４３に達すると、略Ｕ字形に折り返された電線押圧爪部４３のＵ字の間隔を縮める方向に弾性的に収縮させる。さらに電源線Ｋａを挿入して、その挿入端が電線押圧爪部４２に達すると、電線挿入奥側に傾斜するように折り曲げられた電線押圧爪部４２を弾性的に電線挿入方向（伸ばし方向）に押し上げていく。
【００３４】
電源線用端子Ｔａの圧着部６２ａが圧着部収容部１１ａに収容されるまで電源線Ｋａを奥まで挿入して、電源線Ｋａの挿入が完了した状態では、電線押圧爪部４２は、その先端の端縁部分４２ａが電源線Ｋａに対して弾性的に線接触で押圧しており、電線押圧爪部４３は、その第２折り返し部２５あるいはその近辺が電源線Ｋａに対して弾性的に面接触で押圧していて、通電体３に対して電源線Ｋａの電気的接続を確実に行うことができる。
【００３５】
また、このような状態から、挿入された電源線Ｋａに対して引き抜き方向の力が加わっても、電線挿入奥側に傾斜した電線押圧爪部４２の端縁部分４２ａが電源線Ｋａにくい込んで、電源線Ｋａは抜け止め作用を受けるので、濫りに電源線Ｋａが抜けることを防止することができる。
【００３６】
次に、アース線Ｋｅを挿入接続するときの作用について説明する。前述したようにアース線の先端には、先端部６１ｅが挿入方向にやや長めに形成されているアース線用端子Ｔｅを圧着させて取り付けており、さらに、アース線用端子Ｔｅに端子カバーＣを装着して、アース線用端子Ｔｅの先端部６１ｅの挿入端を除いて端子カバーＣで外部を覆ってある。アース線用端子Ｔｅの先端部６１ｅの挿入端が、圧着部収容部１１ｅから端子挿通部１２ｅを通って挿入されたとき、先端部６１ｅの挿入端と電線押圧爪部４３との作用は、前述の電源線Ｋａの挿入時の作用と同様であるが、先端部６１ｅの挿入端は、電線挿入奥側の電線押圧爪部４２には届かないように形成されている。電線挿入手前側のＵ字型の電線押圧爪部４３のみでアース線Ｋｅを通電体３に対して固定し、アース線Ｋｅを引き抜くことができる余地を残したものである。
【００３７】
また、端子カバーＣの先端が圧着部収容部１１ｅに挿入されていくと、端子カバーＣの側面から突出した係合体７２の係合部７４が、圧着部収容部１１ｅの隣に形成された凹入部１５内の突出体１６の傾斜面に当接して、突出体１６の傾斜面に沿って係合体７２は弾性的に外方向に変位して、係合部７４が突出体１６の傾斜面を通過した後は、係合体７２は弾性的に内方向に復帰して、コネクタ本体１の凹入部１５内の突出体１６と係合する。これにより、アース線Ｋｅに引き抜き方向の外力がかかっても端子カバーＣの引き抜き方向への移動が阻止されている。
【００３８】
次に、本発明のフロアー用ヒーターパネルの一実施例として、このような構成のコネクタが取り付けられるヒーターパネルＰについて説明すると、ヒーターパネルＰは、一枚あたりの大きさが３００ｍｍ×１８００ｍｍ、厚さ１２ｍｍであって、表面には、化粧板が施され、裏面には、図１０及び図１１に示すように、ヒーターパネルＰにコネクタを取り付けるための窪み状のパネル開口部８１が形成され、側面には、ヒーターパネルＰを縦方向に繋ぐときの配線経路となる縦継用溝８２と、ヒーターパネルＰを横方向に繋ぐときの配線経路となる横継用溝８３が形成され、それぞれパネル開口部８１につながっている構成とされている。
【００３９】
施工にあたっては、ヒーターパネルＰの内部からの２本の電源線Ｋａ，Ｋａと１本のアース線ＫｅをコネクタＡの一側面側のそれぞれの箇所に挿入接続し、コネクタＡの反対側の側面には、図１０に示すように、外部から引き込んだ２本の電源線Ｋａ，Ｋａと１本のアース線Ｋｅを、縦継用溝８２（あるいは横継用溝８３でもよい）を通して挿入接続したり、図１１に示すように、他のヒーターパネルＰからの２本の電源線Ｋａ，Ｋａと１本のアース線Ｋｅを、縦継用溝８２（あるいは横継用溝８３でもよい）を通して挿入接続したりする。
【００４０】
ヒーターパネルＰを縦方向に繋ぐ施工は、図１１に示すように、まず施工の終わっているヒーターパネルＰ１の内部の２本の電源線Ｋａ，Ｋａと１本のアース線Ｋｅを、縦継用溝８２を通してパネル内からパネル外に出しておき、施工を行うヒーターパネルＰ２を裏返して施工の終わっているヒーターパネルＰ１の上に重ねる。次にヒーターパネルＰ２の内部からの２本の電源線Ｋａ，Ｋａと１本のアース線ＫｅをコネクタＡの一側面側のそれぞれの箇所に挿入接続し、ヒーターパネルＰ１のパネル外に出しておいた２本の電源線Ｋａ，Ｋａと１本のアース線Ｋｅを、ヒーターパネルＰ２の縦継用溝８２を通してヒーターパネルＰ２内に入れて、コネクタＡのもう一方の側面側のそれぞれの箇所に挿入接続する。そして、コネクタＡをパネル開口部８１の所定の位置に取り付けて、図の矢印の方向にヒーターパネルＰ２を反転させて、ヒーターパネルＰ１とヒーターパネルＰ２を接続し、ヒーターパネルＰ２を敷設する。なお、図示はしていないが、ヒーターパネルＰを横方向に繋ぐ施工についても、２本の電源線Ｋａ，Ｋａと１本のアース線Ｋｅをそれぞれ横継用溝８３を通して結線することにより、同様の手順で行うことができる。
【００４１】
以上本発明の代表例と思われる実施例について説明したが、本発明の電線接続用コネクタ及びフロアー用ヒーターパネルは、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００４２】
本発明の電線接続用コネクタ及びそれを用いたフロアー用ヒーターパネルは、アース線の電源線との間で取り付け場所を間違えることがなく、施工工事を大幅にやり直す等の大事に至ることがないので、従来品に替わって電線の配線接続に使用されることになると思われる。
【図面の簡単な説明】
【００４３】
【図１】電線接続用コネクタの斜視図。
【図２】同断面図。
【図３】同分解断面図。
【図４】同電線を差し込んだ状態の断面図。
【図５】同弾性体４（スプリング板４１）の斜視図。
【図６】同端子カバーの斜視図。
【図７】コネクタの側面の寸法図。
【図８（ａ）】電源線の寸法図。
【図８（ｂ）】電源線の寸法図。
【図９（ａ）】アース線の寸法図。
【図９（ｂ）】アース線の寸法図。
【図１０】ヒーターパネルＰ及び該ヒーターパネルＰと外部ケーブルとの接続状態を示す図。
【図１１】ヒーターパネルＰ及び該ヒーターパネルＰ同士の配線の接続状態を示す図。
【符号の説明】
【００４４】
１  コネクタ本体
２  カバー体
３  通電体
４  弾性体
１０ａ  電源線用挿入孔
１０ｅ  アース線用挿入孔
１１ａ  （電源線用の）圧着部収容部
１１ｅ  （アース線用の）圧着部収容部
１２ａ  （電源線用の）端子挿通部
１２ｅ  （アース線用の）端子挿通部
１３  収容空間
１４  隔壁
１５  凹入部
１６  突出体
１７  側壁
１８  係合突起
１９  嵌め込みスペース
２１  凹凸構造
２２  突出部
３１  底壁
３２  立ち上がり壁
３３  固定爪
４１  スプリング板
４２  （傾斜）電線押圧爪部
４３  （略Ｕ字型の）電線押圧爪部
４４  平坦部
４５  第１折り返し部
４６  第２折り返し部
５１  チューブ
５２  芯
６１ａ  （電源線用端子の）先端部
６１ｅ  （アース線用端子の）先端部
６２ａ  （電源線用端子の）圧着部
６２ｅ  （アース線用端子の）圧着部
６３  立ち上げ部
７１  係合段部
７２  係合体
７３  係合板
７４  係合部
８１  パネル開口部
８２  縦継用溝
８３  横継用溝
Ｋ  電線
Ｋａ  電源線
Ｋｅ  アース線
Ｔ  端子
Ｔａ  電源線用端子
Ｔｅ  アース線用端子
Ｃ  端子カバー
Ｓ  防水シール
【図１】
2007012529.tif 000003
【図２】
2007012529.tif 000004
【図３】
2007012529.tif 000005
【図４】
2007012529.tif 000006
【図５】
2007012529.tif 000007
【図６】
2007012529.tif 000008
【図７】
2007012529.tif 000009
【図８（ａ）】
2007012529.tif 000010
【図８（ｂ）】
2007012529.tif 000011
【図９（ａ）】
2007012529.tif 000012
【図９（ｂ）】
2007012529.tif 000013
【図１０】
2007012529.tif 000014
【図１１】
2007012529.tif 000015